(57)【要約】【課題】複数のモードを備える画像処理装置に関連し、待機状態からスリープ状態（節電状態）への効率的な移行を行うことができる画像処理装置及び画像処理装置の制御方法を提供する。【解決手段】本発明の画像処理装置は、異なる複数の動作モードをとることができ、該動作モードごとに異なるスリープモードを有し、スリープモードに移行する際に参照する動作モードを判定する動作モード判定手段と、該動作モード判定手段によって判定された動作モードに対応したスリープモードへ移行させるスリープモード移行手段と、を有することを特徴とする【選択図】図２
2008271118.tif 000002
【特許請求の範囲】
【請求項１】
異なる複数の動作モードをとることができ、
該動作モードごとに異なるスリープモードを有し、
スリープモードに移行する際に参照する動作モードを判定する動作モード判定手段と、
該動作モード判定手段によって判定された動作モードに対応したスリープモードへ移行させるスリープモード移行手段と、を有することを特徴とする画像処理装置。
【請求項２】
異なる複数の動作モードは、スキャンモード、コピーモード、ファクシミリ送信モード、外部記憶媒体プリントモードのうちの２以上の任意の組み合わせであることを特徴とする請求項１に記載の画像処理装置。
【請求項３】
スリープモードは動作モードごとに、画像処理装置を構成する各デバイスが有する複数のスリープレベルを組み合わせて設定されていることを特徴とする請求項１又は請求項２に記載の画像処理装置。
【請求項４】
前記各デバイスは、スキャナ部、プリンタ部、操作パネル部であることを特徴とする請求項３に記載の画像処理装置。
【請求項５】
複数のスリープレベルは、デバイスごとに通常の待機状態より消費電力が小さい浅いスリープレベルと浅いスリープレベルより消費電力が小さい深いスリープレベルとからなることを特徴とする請求項３に記載の画像処理装置。
【請求項６】
該スリープモード移行手段は画像処理装置への操作・入力がない状態が所定時間継続することによって動作を開始することを特徴とする請求項１乃至請求項５のいずれかに記載の画像処理装置。
【請求項７】
該スリープモード移行手段は節電ボタンの押下によって動作を開始することを特徴とする請求項１乃至請求項６のいずれかに記載の画像処理装置。
【請求項８】
画像処理装置が現在どの動作モードが有効になっているか検知する動作モード検知手段を有し、
該動作モード判定手段は動作モード検知手段の検知結果により参照する動作モードを判定することを特徴とする請求項１乃至７記載の画像処理装置。
【請求項９】
複数の動作モードのうち1つの動作モードをデフォルトモードとして設定するデフォルト動作モード設定手段を有し、
該動作モード判定手段は、デフォルト動作モード設定手段の設定を参照してどの動作モードを参照するかを判定することを特徴とする請求項１乃至請求項８のいずれかに記載の画像処理装置。
【請求項１０】
該動作モード判定手段は、ユーザーが最後に選択した動作モードをスリープモードへの移行について参照する動作モードとして判定することを特徴とする請求項１乃至請求項９のいずれかに記載の画像処理装置。
【請求項１１】
異なる複数の動作モードをとることができる画像処理装置を制御する方法であって、
どの動作モードにあるかを判定して、判定された動作モードに応じてスリープモードへの移行様式を変更することを特徴とする画像処理装置の制御方法。
【発明の詳細な説明】
【技術分野】
【０００１】
本発明は、「スキャンモード」、「コピーモード」、「ファクシミリ送信モード」、「外部記憶媒体プリントモード」などのモードを備える画像処理装置に関連し、特に待機状態からスリープ状態（節電状態）への効率的な移行を行うことができる画像処理装置及び画像処理装置の制御方法に関する。
【背景技術】
【０００２】
スキャナ及びプリンタを備えたデジタル複合機（以下、単に複合機という）と呼ばれる装置がある。この複合機では、スキャナが原稿画像を読み取るスキャナ機能、プリンタが印刷を行う印刷機能、及びスキャナが読み取った原稿画像をプリンタが印刷するコピー機能などを備える。近年、この複合機にさらにファクシミリの送受信機能を備えたものが登場している。
【０００３】
ところでコピー機やプリンタなどの画像形成装置においては、節電モード、スリープモードといった省電力待機状態をとるモードが知られている。このようなモードを複合機に設ける試みもなされており、プリンタ機能、スキャナ機能、コピー機能、ファクシミリ機能を備える複合機における省電力モード（スリープモード）については、例えば、特許文献１（特開２００３−１６７４８４号公報）には、複写機能と、プリンタ機能と、ファクシミリ機能と、スキャナ機能とを有する複合装置において、第１の動作群に含まれる動作の終了から第１の所定時間が経過すると自動的に第１の節電状態に移行する第１のオート節電手段と、前記第１の所定時間を計時する第１のタイマーと、前記第１の動作群の動作があると前記第１のタイマーをクリアする第１のタイマークリア手段と、第２の動作群に含まれる動作の終了から第２の所定時間が経過すると自動的に第２の節電状態にする第２のオート節電手段と、前記第２の所定時間を計時する第２のタイマーと、前記第２の動作群の動作があると前記第２のタイマーをクリアする第２のタイマークリア手段とを有することを特徴とする複合装置が開示されている。
【特許文献１】特開２００３−１６７４８４号公報
【発明の開示】
【発明が解決しようとする課題】
【０００４】
複合機は「スキャンモード」、「コピーモード」、「ファクシミリ送信モード」、「外部記憶媒体プリントモード」などの各モードを備えるものであり、それぞれのモードにおいて、プリンタ部やスキャナ部といった複合機を構成する各デバイスの稼働状況というのは異なるものである。したがって、複合機がスリープ状態などの省電力モードに移行する際には、複合機がどのようなモードが重要視されているのかなどを考慮し、各デバイスの稼働状況を参酌した上で、移行することが最適な複合機の節電制御になる。またモードを考慮したスリープ移行制御を行うことができれば、ユーザーが利用していたモードに素早く復帰できるなどユーザーの利便性も向上することができることが十分考えられる。ところが、特許文献１に記載されるような従来の複合装置においてはこのようなことが全く考慮されておらず、必ずしも効率的な省電力制御を行うことができない、という問題があった。
【課題を解決するための手段】
【０００５】
上記のような問題に対処するために、本発明の画像処理装置は、異なる複数の動作モードをとることができ、該動作モードごとに異なるスリープモードを有し、スリープモードに移行する際に参照する動作モードを判定する動作モード判定手段と、該動作モード判定手段によって判定された動作モードに対応したスリープモードへ移行させるスリープモード移行手段と、を有することを特徴とする。
【０００６】
また、本発明の画像処理装置は、異なる複数の動作モードは、スキャンモード、コピーモード、ファクシミリ送信モード、外部記憶媒体プリントモードのうちの２以上の任意の組み合わせであることを特徴とする。
【０００７】
また、本発明の画像処理装置は、スリープモードは動作モードごとに、画像処理装置を構成する各デバイスが有する複数のスリープレベルを組み合わせて設定されていることを特徴とする。
【０００８】
また、本発明の画像処理装置は、前記各デバイスは、スキャナ部、プリンタ部、操作パネル部であることを特徴とする。
【０００９】
また、本発明の画像処理装置は、複数のスリープレベルは、デバイスごとに通常の待機状態より消費電力が小さい浅いスリープレベルと浅いスリープレベルより消費電力が小さい深いスリープレベルとからなることを特徴とする。
【００１０】
また、本発明の画像処理装置は、該スリープモード移行手段は画像処理装置への操作・入力がない状態が所定時間継続することによって動作を開始することを特徴とする。
【００１１】
また、本発明の画像処理装置は、該スリープモード移行手段は節電ボタンの押下によって動作を開始することを特徴とする。
【００１２】
また、本発明の画像処理装置は、画像処理装置が現在どの動作モードが有効になっているか検知する動作モード検知手段を有し、該動作モード判定手段は動作モード検知手段の検知結果により参照する動作モードを判定することを特徴とする請求項１乃至７記載の画像処理装置。
【００１３】
また、本発明の画像処理装置は、複数の動作モードのうち1つの動作モードをデフォルトモードとして設定するデフォルト動作モード設定手段を有し、該動作モード判定手段は、デフォルト動作モード設定手段の設定を参照してどの動作モードを参照するかを判定することを特徴とする。
【００１４】
また、本発明の画像処理装置は、該動作モード判定手段は、ユーザーが最後に選択した動作モードをスリープモードへの移行について参照する動作モードとして判定することを特徴とする。
【００１５】
また、本発明の画像処理装置の制御方法は、異なる複数の動作モードをとることができる画像処理装置を制御する方法であって、どの動作モードにあるかを判定して、判定された動作モードに応じてスリープモードへの移行様式を変更することを特徴とする。
【００１６】
本発明の画像処理装置及び画像処理装置の制御方法によれば、画像処理装置がスリープモード（省電力モード）に移行する際には、画像処理装置がどのようなモードが重要視されているのかを考慮し、各デバイスの稼働状況を参酌した上で、移行することによって、最適な画像処理装置の節電制御を行うことができる。またモードを考慮してスリープモードへの移行制御を行うので、ユーザーが利用していたモードに素早く復帰できるなどユーザーの利便性も向上することができる。
【発明を実施するための最良の形態】
【００１７】
以下、本発明の実施の形態を図面を参照しつつ説明する。本実施形態においては画像処理装置として複合機を例にとり説明するが、本発明はこのような複合機に限らず、プリンタ部とスキャナ部と操作パネル部とを有する構成に適用可能なものである。
【００１８】
図１は本発明の実施の形態に係る画像処理装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はファクシミリ文書の送受信を行うファクシミリ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。なお、本明細書においては、ファクシミリ部１２０、プリンタ部１３０、スキャナ部１４０、操作パネル部１５０それぞれをデバイスなどと称することもある。
【００１９】
図１に示されるファクシミリ装置（複合機）周辺のシステムでは、クライアントなどのパーソナルコンピュータ２００、２００’、２００’’と複合機１００とが、ネットワーク１０を介して接続される構成となっている。また、複合機１００のファクシミリ部１２０が電話回線２０と、ＵＳＢ  Ｉ／Ｆ１７０が、ＵＳＢメモリ、携帯電話やデジタルカメラなどの外部機器３００と接続されるような構成とされている。
【００２０】
複合機１００は、情報処理装置からなる複合機本体の主制御を行う制御部１１０と、ユーザーの入力操作を受け付ける入出力装置である操作パネル部１５０と、原稿・画像をスキャンしてカラーで読み込むスキャナ部１４０と、印刷用紙等に印刷を行うプリンタ部１３０と、ファクシミリ送受信を行うファクシミリ部１２０とを備える。つまり、複合機１００は、スキャナ機能、印刷機能、スキャナ機能と印刷機能を組み合わせたコピー機能及びファクシミリ送受信機能を備えるものである。
【００２１】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００２２】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機１００には、スキャナ部１４０に自動的に連続的に原稿を送致する構成であるＡＤＦ（Ａｕｔｏｍａｔｉｃ  Ｄｏｃｕｍｅｎｔ  Ｆｅｅｄｅｒ）を設けるようにしておいてもよい。
【００２３】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ファクシミリ部１２０から電話回線を通じて送信したり（複合機１００のファクシミリ機能）、ネットワークＩ／Ｆ１６０、ネットワーク１０を介して、パーソナルコンピュータ２００、２００’、２００’’に向けて送信したり（複合機１００のスキャナ機能）する。
【００２４】
コピー機能を利用するときの複合機１００のモードを「コピーモード」と定義し、ファクシミリ機能のうちファクシミリ送信機能を利用するときの複合機１００のモードを「ファクシミリ送信モード」と定義し、スキャナ機能を利用するときの複合機１００のモードを「スキャンモード」と定義する。
【００２５】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやファクシミリ部２１０で受信されたファクシミリデータや、パーソナルコンピュータ２００、２００’、２００’’のアプリケーションソフトウエアからのデータや外部機器３００からの画像データなどを紙出力するものである。
【００２６】
ファクシミリ部１２０は、電話回線２０と接続されていて、ファクシミリの送受信を行うファクシミリ送受信部（不図示）と、ファクシミリ送受信部が送信するための送信データを一時記憶する送信バッファ及びファクシミリ送受信部が受信した受信データを一時記憶する受信バッファを構成するためのファクシミリ部用のメモリを備えている。
【００２７】
また、ファクシミリ部１２０は、電話回線２０からファクシミリ送信されてきたデータを受信すると、その受信データを一旦格納する。そして、格納された受信データは、制御部１１０へ送られて、プリンタ部１３０で印刷される。ファクシミリ部１２０は、複合機１００内の他の構成とは独立にファクシミリ送受信を行う。つまり、ファクシミリ部１２０は、複合機１００から送信データを受け付けると、複合機１００とは独立にファクシミリ送信を行うし、電話回線２０からファクシミリデータが送信されてくれば、それを受信する。
【００２８】
複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００２９】
複合機１００は、上記のような機能に加えて、外部機器３００に記憶されるファイルから直接的にプリンタ部１３０でプリントを行うプリントモードを備えている。このような外部機器３００から直接プリントする機能を利用するときの複合機１００のモードを「外部記憶媒体プリントモード」と定義する。当該モードでは、制御部１１０は、ＵＳＢ  Ｉ／Ｆ１７０に接続されるＵＳＢメモリ、携帯電話やデジタルカメラなどの外部機器３００に記憶されるファイル・データを取り込んで、これをプリンタ部１３０でプリントアウトする。
【００３０】
なお、外部記憶媒体プリントモードのうちの特殊なモードとして、複合機１００を直接制御可能なＵＳＢ機器によって、複合機１００の制御を行いつつ、プリンタ部１３０でプリントアウトを実行するモードである「直接制御印刷可能ＵＳＢ機器モード」（ピクトブリッジ対応機器印刷モード：「ピクトブリッジ」は登録商標。）も本発明の画像処理装置は備えるものである。このようなモードにおいては、外部機器３００からの制御に基づいて、外部機器３００と制御部１１０が協働して、プリントのパラメーターなどを決定した上でプリンタ部１３０におけるプリントを行う。
【００３１】
操作パネル部１５０のハードウエアは、操作に係わる表示を行うＬＣＤからなる表示部と、指などによる押圧で入力が行えるタッチパネル部とから概略構成される。これらの表示部とタッチパネル部とは重ねて構成されており、ユーザーは表示部の表示を参照しつつ、指でタッチパネル部を操作することで複合機１００の各種設定を行うことができるようになっている。タッチパネル部による入力機構、表示部による表示機構の具体的な構成については、周知の技術を用いることができる。この操作パネル部１５０で行うことができるのは、複合機１００のファクシミリ機能、プリンタ機能、コピー機能といった各種機能の選択、画像のプレビュー表示、節電モードへの移行、などである。
【００３２】
次に本発明の画像処理装置におけるスリープレベルについて説明する。なお、本発明のスリープレベルとは消費電力を、通常の待機状態より減少させたものであり、節電レベルや省電力レベルなどと考えることもできる。
【００３３】
本発明の画像処理装置（複合機１００）は、スリープレベルが段階別に設定されており、通常待機状態より消費電力を低減させた第１段階のスリープレベルと、第１段階のスリープレベルよりもう一段消費電力を低減させた第２段階のスリープレベルとを有するものである。図２は、本発明の実施の形態に係る画像処理装置（複合機）の２段階のスリープモードを説明する図である。なお、このような複数の段階のスリープレベルを画像処理装置に持たせる技術については、例えば特開２００５−１２４１３２号公報に記載されたものを利用することができる。特開２００５−１２４１３２号公報に記載された技術は、記録用紙上に直接インクを射出する方式を採用したインクジェット方式に係るものであるが、感光体上に潜像を形成する方式を採用した電子写真方式のものについても同様の考え方をすることができる。特に電子写真方式の画像処理装置においては、トナーの定着部で電力を消費することが知られており、本発明のような２段階のスリープレベルを電子写真方式の画像処理装置によれば、消費電力を大幅に削減しつつ、スリープなどからの復帰時においても、印刷時間までの時間を低減することができる。
【００３４】
本発明の画像処理装置（複合機１００）においては、通常待機状態より消費電力を低減させた第１段階のスリープレベルを「浅」レベルのスリープレベルとして定義し、第１段階のスリープレベルよりもう一段消費電力を低減させた第２段階のスリープモードを「深」レベルのスリープレベルとして定義する。
【００３５】
本発明の画像処理装置（複合機１００）における浅いレベルのスリープレベル、深いレベルのスリープレベルは、プリンタ部１３０、スキャナ部１４０、操作パネル部１５０それぞれが有しているものである。それぞれのスリープモード浅い、深いは、例えば、以下のように定義することができるが、このような定義は種々の態様が考えられることはいうまでもない。
プリンタ部１３０の浅いスリープレベル：定着部の温度を一定に保つ、モーター制御部には通電、など。
プリンタ部１３０の深いスリープレベル：定着部のパワーオフ、モーター制御部への通電をオフ、など。
スキャナ部１４０の浅いスリープレベル：原稿照射用ランプ制御部、イメージセンサ制御部、キャリッジモータ制御部の一部への通電、など。
スキャナ部１４０の深いスリープレベル：原稿照射用ランプ制御部、イメージセンサ制御部、キャリッジモータ制御部への通電オフ、など。
操作パネル部１５０の浅いスリープレベル：バックライト減光、など。
操作パネル部１５０の深いスリープレベル：バックライト消灯、など。
【００３６】
図２（Ａ）は、「スキャンモード」、「コピーモード」、「ファクシミリ送信モード」、「外部記憶媒体プリントモード」の各モードにおいて、プリンタ部１３０、スキャナ部１４０、操作パネル部１５０がどのように２段階のスリープモードに入るのかを説明するものである。図２（Ｂ）は図２（Ａ）中の「１」、「２」の区別を説明するものである。
【００３７】
例として「スキャンモード」について説明する。スキャンモードでは、プリンタ部１３０は「時間１」経過後（すなわち、複合機１００に対して、何の命令（操作・入力）も出さないまま、１分経過後）に深いレベルのスリープレベルとなる。また、スキャンモードでは、スキャナ部１４０は「時間２」経過後（すなわち、５分経過後）に浅いレベルのスリープレベルとなる。また、スキャンモードでは、操作パネル部１５０は「時間１」経過後（すなわち、１分経過後）に浅いレベルのスリープレベルとなり、「時間２」経過後（すなわち、５分経過後）に深いレベルのスリープレベルとなる。
【００３８】
このように本発明においては、「スキャンモード」、「コピーモード」、「ファクシミリ送信モード」、「外部記憶媒体プリントモード」の各動作モードに応じて、プリンタ部１３０やスキャナ部１４０などの各デバイス別に、２段階のスリープレベルをとるように設定されており、各動作モードに応じたスリープモードを有している。このため、動作モード毎の各デバイスの稼働状況に応じた節電制御を行うことが可能となるものである。また、このような、動作モードを考慮してスリープモードへの移行制御を行うことによって、ユーザーが利用していたモードに素早く復帰できるなどユーザーの利便性も向上することができる。
【００３９】
次に、複合機１００のデフォルトモードについて説明する。以上、説明したとおり、複合機１００は「スキャンモード」、「コピーモード」、「ファクシミリ送信モード」、「外部記憶媒体プリントモード」などの各モードを備えるものであるが、それぞれのユーザーは主として利用するモードが比較的に固定しているものである。すなわち、あるユーザーは複合機１００を、コピー機中心で利用し、また別のユーザーはファクシミリ機中心として利用する、といったような利用形態となることが多い。そこで、「デフォルトモード」への復帰（或いは、移行）という概念を、採用すると複合機１００の利便性が高まる。図３は本発明の実施の形態に係る画像処理装置（複合機）におけるデフォルトモードの概念を説明する図である。
【００４０】
「デフォルトモード」とは、複合機１００の電源オン時や、あるモード使用後所定時間操作しなかった場合に移行するモードで、ユーザーが「スキャンモード」、「コピーモード」、「ファクシミリ送信モード」、「外部記憶媒体プリントモード」のうちから一つ設定して登録しておくことが可能なモードである。図３は、複合機１００がユーザーによって選択されたモードから、所定時間経過後にデフォルトモードに移行するイメージを示したものである。
【００４１】
なお、本発明は、このような「デフォルトモード」を備えない画像処理装置（或いは、積極的にデフォルトモードを利用しない画像処理装置）にも、備える画像処理装置の双方に適用することができる。
【００４２】
図４は、デフォルトモードに移行後にスリープモードに入る画像処理装置のシーケンスを示す図であり、図５は各モードからスリープモードに入る画像処理装置のシーケンスを示す図である。
【００４３】
図４について時間経過順にみてみると、ユーザーによって選択されたいずれかのモードから、所定時間操作がない場合には、デフォルトモードに移行する。このデフォルトモードは、ユーザーが設定した「スキャンモード」、「コピーモード」、「ファクシミリ送信モード」、「外部記憶媒体プリントモード」のいずれかのモードである。
【００４４】
次に、時間１が経過すると、プリンタ部１３０、スキャナ部１４０、操作パネル部１５０のそれぞれがモードに応じた第１段階目のスリープモードに移行する。さらに時間２が経過すると、プリンタ部１３０、スキャナ部１４０、操作パネル部１５０のそれぞれがモードに応じた第２段階目のスリープモードに移行する。ユーザーによる操作パネル部１５０の操作やパーソナルコンピュータ２００、２００’、２００’’からの入力によって、スリープ状態が解除される。
【００４５】
次に、図５について時間経過順にみてみる。ユーザーによって選択された「スキャンモード」、「コピーモード」、「ファクシミリ送信モード」、「外部記憶媒体プリントモード」のいずれかのモードから、所定時間操作がない場合には、複合機１００はスリープモードへと移行することとなる。
【００４６】
すなわち、時間１が経過すると、プリンタ部１３０、スキャナ部１４０、操作パネル部１５０のそれぞれがモードに応じた第１段階目のスリープモードに移行する。さらに時間２が経過すると、プリンタ部１３０、スキャナ部１４０、操作パネル部１５０のそれぞれがモードに応じた第２段階目のスリープモードに移行する。ユーザーによる操作パネル部１５０の操作やパーソナルコンピュータ２００、２００’、２００’’からの入力によって、スリープ状態が解除される。
【００４７】
図４及び図５のいずれの場合においても、時間１直前のモードによって、プリンタ部１３０、スキャナ部１４０、操作パネル部１５０のそれぞれがモードに応じたスリープマナーが決定されるものとする。
【００４８】
次に、本発明の実施の形態に係る画像処理装置（複合機１００）におけるスリープ処理ルーチンについて説明する。図６は本発明の実施の形態に係る画像処理装置（複合機）におけるスリープ処理ルーチンのフローチャートを示す図である。
【００４９】
図６において、ステップＳ１００でスリープ処理ルーチンを開始すると、続いてステップＳ１０１に進み、制御部１１０における不図示の計時手段による計時カウンタのリセットを行う。
【００５０】
次に、ステップＳ１０２において節電ボタンの押下があるかどうかが判定される。この節電ボタンは、操作パネル部１５０に設けられ、ユーザーの押下によって複合機１００をスリープモードに移行させることができるボタンである。
【００５１】
ステップＳ１０２における判定の結果がＹＥＳであるときにはステップＳ１０９に進み、ステップＳ１０２における判定の結果がＮＯであるときにはステップＳ１０３に進む。ステップＳ１０９に移行したということは、ユーザーが意図して装置をスリープ状態としたいことを意味する。すなわち、ステップＳ１０９においては、プリンタ部１３０を深いレベルのスリープモードに設定し、スキャナ部１４０を深いレベルのスリープモードに設定し、操作パネル部１５０を深いレベルのスリープモードに設定する。
【００５２】
ステップＳ１０２における判定の結果がＮＯであるときに進むステップＳ１０３においては、計時カウンタが参照され待機状態から時間１の時間が経過したかどうかが判定され。
【００５３】
ステップＳ１０３における判定結果がＹＥＳであるときにはステップＳ１０４に進み、ステップＳ１０３における判定結果がＮＯであるときにはステップＳ１０３をループする。ステップＳ１０４では「時間１経過処理サブルーチン」にジャンプする。
【００５４】
ステップＳ１０４に続いてはステップＳ１０５に進む。ステップＳ１０５において節電ボタンの押下があるかどうかが判定される。
【００５５】
ステップＳ０１０５における判定結果がＹＥＳであればステップＳ１０９に進み、ステップＳ０１０５における判定結果がＹＥＳであればステップＳ１０６に進む。ステップＳ１０９においては、各デバイスがそれぞれ深いレベルのスリープモードに設定される。
【００５６】
ステップＳ１０６においては、計時カウンタが参照され待機状態から時間２の時間が経過したかどうかが判定される。ステップＳ１０６における判定結果がＹＥＳであるときにはステップＳ１０７に進み、ステップＳ１０４における判定結果がＮＯであるときにはステップＳ１０５に進む。
【００５７】
ステップＳ１０７では「時間２経過処理サブルーチン」にジャンプする。続くステップＳ１０８では、スリープ状態解除待ちルーチンとなる。このようなルーチンは、操作パネル部１５０の操作、プリントデータ受信などのタイミングでスリープモードを解除する処理ルーチンであり、従来周知のものを用いることができる。ステップＳ１１０では、スリープ処理ルーチンを終了する。
【００５８】
次に、上記の各サブルーチンについて説明する。図７は本発明の実施の形態に係る画像処理装置（複合機）における時間１経過処理サブルーチンのフローチャートを示す図である。ステップＳ２００で時間１経過処理サブルーチンが開始されると、続いてステップＳ２０１へと進む。ステップＳ２０１では、複合機１００の時間１経過直前のモードがスキャンモードであったかどうかが判定される。
【００５９】
ステップＳ２０１における判定の結果がＹＥＳであるときはステップＳ２０６へと進み、ステップＳ２０１における判定の結果がＮＯであるときはステップＳ２０２へと進む。ステップＳ２０６では、プリンタ部１３０を深いレベルのスリープモードに設定し、操作パネル部１５０を浅いレベルのスリープモードに設定する。
【００６０】
ステップＳ２０２では、複合機１００の時間１経過直前のモードはコピーモードであったかが判定される。
【００６１】
ステップＳ２０２における判定の結果がＹＥＳであるときはステップＳ２０７へと進み、ステップＳ２０２における判定の結果がＮＯであるときはステップＳ２０３へと進む。ステップＳ２０７では、プリンタ部１３０を浅いレベルのスリープモードに設定し、スキャナ部１４０を浅いレベルのスリープモードに設定し、操作パネル部１５０を浅いレベルのスリープモードに設定する。
【００６２】
ステップＳ２０３では、複合機１００の時間１経過直前のモードがファクシミリ送信モードであったかどうかが判定される。
【００６３】
ステップＳ２０３における判定の結果がＹＥＳであるときはステップＳ２０８へと進み、ステップＳ２０３における判定の結果がＮＯであるときはステップＳ２０４へと進む。ステップＳ２０８では、プリンタ部１３０を深いレベルのスリープモードに設定し、操作パネル部１５０を浅いレベルのスリープモードに設定する。
【００６４】
ステップＳ２０４では、複合機１００の時間１経過直前のモードが外部記憶媒体プリントモードであったことが分かるので、次にステップＳ２０５に進み、ステップＳ２０５プリンタ部１３０を浅いレベルのスリープモードに設定し、スキャナ部１４０を深いレベルのスリープモードに設定し、操作パネル部１５０を浅いレベルのスリープモードに設定する。
【００６５】
ステップＳ２０９でリターンする。
【００６６】
次に、上記の「時間２経過処理サブルーチン」について説明する。図８は本発明の実施の形態に係る画像処理装置（複合機）における時間２経過処理サブルーチンのフローチャートを示す図である。
【００６７】
ステップＳ３００で時間２経過処理サブルーチンが開始されると、続いてステップＳ３０１に進む。ステップＳ３０１では、複合機１００の時間１経過直前のモードはスキャンモードであったかが判定される。
【００６８】
ステップＳ３０１における判定の結果がＹＥＳであるときはステップＳ３０６へと進み、ステップＳ３０１における判定の結果がＮＯであるときはステップＳ３０２へと進む。ステップＳ３０６においては、スキャナ部１４０を浅いレベルのスリープモードに設定
操作パネル部１５０を深いレベルのスリープモードに設定する。
【００６９】
ステップＳ３０２では、複合機１００の時間１経過直前のモードはコピーモードであるかどうかが判定される。
【００７０】
ステップＳ３０２における判定の結果がＹＥＳであるときはステップＳ３０７へと進み、ステップＳ３０２における判定の結果がＮＯであるときはステップＳ３０３へと進む。ステップＳ３０７においては、プリンタ部１３０を深いレベルのスリープモードに設定し、スキャナ部１４０を深いレベルのスリープモードに設定し、操作パネル部１５０を深いレベルのスリープモードに設定する。
【００７１】
ステップＳ３０３では、複合機１００の時間１経過直前のモードがファクシミリ送信モードであったかどうかが判定される。
【００７２】
ステップＳ３０３における判定の結果がＹＥＳであるときはステップＳ３０８へと進み、ステップＳ３０３における判定の結果がＮＯであるときはステップＳ３０４へと進む。
【００７３】
ステップＳ３０４では、複合機１００の時間１経過直前のモードが外部記憶媒体プリントモードであったことが分かるので、次にステップＳ３０５に進み、ステップＳ３０５では、プリンタ部１３０を深いレベルのスリープモードに設定し、操作パネル部１５０を深いレベルのスリープモードに設定する。ステップＳ３０８では、スキャナ部１４０を浅いレベルのスリープモードに設定し、操作パネル部１５０を深いレベルのスリープモードに設定する。
【００７４】
ステップＳ３０９ではリターンする。
【００７５】
以上のように、本発明によれば、「スキャンモード」、「コピーモード」、「ファクシミリ送信モード」、「外部記憶媒体プリントモード」の動作モードに応じて、時間１経過後、時間２経過後などの段階的に、しかもプリンタ部１３０、スキャナ部１４０、操作パネル部１５０などのデバイスの種類毎にきめ細かく省電力制御を行うので効率の良いものとなる。
【００７６】
なお、本実施形態においては、プリンタ部１３０、スキャナ部１４０、操作パネル部１５０などのデバイス毎に、浅い・深いの２段階のスリープモードが存在する場合を例に挙げて説明したが、さらに多段階のスリープモードを設定することもできる。また、デバイスの組み合わせは、プリンタ部１３０、スキャナ部１４０、操作パネル部１５０の２以上の任意の組み合わせとすることができるし、さらに別のデバイスを省電力制御の対象とすることもできる。
【００７７】
また、本実施形態においては、スリープモードに移行するに際して時間１の経過直前にどのモードにあるかを判定して、どのスリープモードに入るか決定しているが、スリープモードの決定に際しては、デフォルトモードに設定されている動作モードまたはユーザーが直前に選択した動作モードを参照してどのスリープモードに入るか決定するようにしても良い。
【００７８】
以上、本発明によれば、画像処理装置がスリープモード（省電力モード）に移行する際には、画像処理装置がどのようなモードにあるのかを考慮し、各デバイスの稼働状況を参酌した上で、移行することによって、最適な画像処理装置の節電制御を行うことができる。またモードを考慮してスリープモードへの移行制御を行うので、ユーザーが利用していたモードに素早く復帰できるなどユーザーの利便性も向上することができる。
【図面の簡単な説明】
【００７９】
【図１】本発明の実施の形態に係る画像処理装置（複合機）及びその周辺のシステム構成を示す図である。
【図２】本発明の実施の形態に係る画像処理装置（複合機）の２段階のスリープモードを説明する図である。
【図３】本発明の実施の形態に係る画像処理装置（複合機）におけるデフォルトモードの概念を説明する図である。
【図４】デフォルトモードに移行後にスリープモードに入る画像処理装置のシーケンスを示す図である。
【図５】各モードからスリープモードに入る画像処理装置のシーケンスを示す図である。
【図６】本発明の実施の形態に係る画像処理装置（複合機）におけるスリープ処理ルーチンのフローチャートを示す図である。
【図７】本発明の実施の形態に係る画像処理装置（複合機）における時間１経過処理サブルーチンのフローチャートを示す図である。
【図８】本発明の実施の形態に係る画像処理装置（複合機）における時間２経過処理サブルーチンのフローチャートを示す図である。
【符号の説明】
【００８０】
１０・・・ネットワーク、２０・・・電話回線、１００・・・複合機、１１０・・・制御部、１２０・・・ファクシミリ部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器
【図１】
2008271118.tif 000003
【図２】
2008271118.tif 000004
【図３】
2008271118.tif 000005
【図４】
2008271118.tif 000006
【図５】
2008271118.tif 000007
【図６】
2008271118.tif 000008
【図７】
2008271118.tif 000009
【図８】
2008271118.tif 000010